(57)【要約】【課題】  本発明は、所定の観察角度で潜像が出現することで真偽判別が可能な偽造防止印刷物に関するものである。【解決手段】  基材上に印刷画像が形成され、印刷画像は、Ｘの方向及びＹの方向に配列された画線ユニットによって形成され、印刷画像は背景部となる第１の領域と潜像部となる第２の領域を有し、第１の領域は第１の画線ユニットによって形成され、第２の領域は第２の画線ユニットによって形成され、第１の画線ユニットは第１の方向に沿って配列された盛り上がりを有する第１の画線群を有し、第２の画線ユニットは第２の方向に沿って配列された盛り上がりを有する第２の画線群を有し、第１の方向と第２の方向は、９０°の異なった方向に配列され、画線ユニット間は、潜像画像をカモフラージュするために所定の間隔を有して配置されることで形成されたカモフラージュ非画線を有する。【選択図】  図４
2018187840.tif 000002
【特許請求の範囲】
【請求項１】
基材上に印刷画像が形成され、
前記印刷画像は、Ｘの方向及びＹの方向に配列された複数の画線ユニットによって形成され、
前記印刷画像は背景部となる第１の領域と潜像部となる第２の領域を有し、
前記第１の領域は複数の第１の画線ユニットによって形成され、前記第２の領域は複数の第２の画線ユニットによって形成され、
前記第１の画線ユニットは、第１の方向に沿って第１のピッチで配列された盛り上がりのある第１の画線群を有し、前記第２の画線ユニットは、前記第１の方向に対して前記第１の方向とは異なった第２の方向に沿って前記第１のピッチで配列された盛り上がりのある第２の画線群を有し、
前記画線ユニットの間は、前記潜像部をカモフラージュするために所定の間隔を有して配置されたことで形成されたカモフラージュ非画線を有する印刷物であって、
前記印刷物を傾けて観察した場合に、前記背景部と前記潜像部に濃度差が生じて潜像画像が視認されることを特徴とする偽造防止印刷物。
【請求項２】
前記画線ユニットは、直径が１ｍｍ以下の三角形、四角形又は六角形であることを特徴とする請求項１記載の偽造防止印刷物。
【請求項３】
前記Ｘの方向は前記基材の一辺に対して、３０°又は４５°の方向であり、前記Ｙの方向は、前記基材の一辺に対して、１５０°又は１３５°の方向であることを特徴とする請求項１又は２記載の偽造防止印刷物。
【請求項４】
前記第１の画線群及び前記第２の画線群は、画線幅が５０μｍ〜３００μｍ、非画線幅が５０μｍ〜３００μｍ、前記カモフラージュ非画線の幅が５０μｍ〜３００μｍであることを特徴とする請求項１から３までのいずれか一項記載の偽造防止印刷物。
【請求項５】
前記第１の画線群及び前記第２の画線群の画線高さは、同一又は異なることを特徴とする請求項１から４までのいずれか一項記載の偽造防止印刷物。
【請求項６】
前記第１の画線群及び前記第２の画線群の少なくとも一つの画線の画線幅を異ならせることによって、印刷物を真上から観察した場合に視認される画像が形成されることを特徴とする請求項１から５までのいずれか一項記載の偽造防止印刷物。
【発明の詳細な説明】
【技術分野】
【０００１】
本発明は、銀行券、旅券、株券、商品券、収入印紙、各種チケット、その他の有価証券等に適用する所定の観察角度で潜像が出現することで真偽判別が可能な偽造防止印刷物に関するものである。
【背景技術】
【０００２】
近年のスキャナ、プリンタ、複写機等のデジタル機器の進展により、貴重印刷物の精巧な複製物を容易に作製することが可能となってきている。このため、銀行券、旅券、株券、商品券、収入印紙、各種チケット、その他の有価証券等は、金銭的価値を有するため、高度な偽造防止技術や真偽判別技術を付与することが求められている。また、貴重印刷物は、真正物か偽造物であるかを真偽判別するための技術も併せて要求される。
【０００３】
これらの偽造防止技術及び真偽判別技術の代表例としては、古くから貴重印刷物には、何らかの手段で潜像が出現する偽造防止技術が採用されている。
【０００４】
この潜像が出現する偽造防止技術は、凹版インキ等で盛り上がって印刷された画線を用いることで効果を奏するものである。例えば、図１の偽造防止印刷物１´に示されるように、基材２´上の印刷領域３´に形成される印刷画像は、潜像部４´を成す画線６´、非画線８´と、背景部５´を成す画線７´、非画線９´は、９０°の２方向の差異を持った万線状の画線によって配置している。この偽造防止印刷物１´の印刷面を真正面から見て観察した場合、施されている潜像部４´から成る潜像画像「Ｐ」文字を容易に認識することができないが、図２に示されたように、図２に示すＦ１´方向（斜め）から観察すると、例えば、凹版インキのような盛り上がった画線では、画線群で隣り合う画線との視角によって重なり合うため、背景部５´の領域は潜像部４´の領域よりも高濃度となる。これにより、潜像部４´及び背景部５´から成る潜像画像「Ｐ」文字が顕像となって出現する。この技術の特徴は、別途判別具を用意せずとも簡単に真偽判別することができることである。
【０００５】
例えば、基材上に縦横の画線で構成される潜像部と背景部を含む印刷画像を凹版印刷することで印刷面を真上から観察した場合に潜像を確認し難いが、印刷面を傾けて観察した場合に潜像が確認できる印刷物が開示されている（例えば、特許文献１参照）。
【０００６】
しかしながら、特許文献１に記載されている印刷物は、異なる画線の配列方向によって背景部及び潜像部を形成しているために、真上から印刷物を観察した場合に潜像部が視認される問題があった。
【０００７】
そこで、本出願人は、基材上の印刷画像が背景部と潜像部に区分けされ、背景部は第１の方向に沿って第１のピッチで配列された盛り上がりのある第１の画線群と、第１の画線群に対してほぼ３０〜６０°又はほぼ１２０〜１５０°の異なった方向に配列された潜像部をカモフラージュするための第２の画線群を有し、潜像部は、背景部を構成する第１の画線群に対してほぼ９０°の異なった第２の方向に沿って第２のピッチで配列された盛り上がりのある第３の画線群と、第３の画線群に対してほぼ３０〜６０°又はほぼ１２０〜１５０°の異なった方向に沿って配列された潜像部をカモフラージュするための第４の画線群を有する印刷物を出願している（例えば、特許文献２参照）。
【先行技術文献】
【特許文献】
【０００８】
【特許文献１】特公昭５６−１９２７３号公報
【特許文献２】特開２０１６−１４７３９３号公報
【発明の概要】
【発明が解決しようとする課題】
【０００９】
しかしながら、特許文献１の問題を解決した特許文献２は、潜像部をカモフラージュするための画線群を形成しているため、印刷物に対して真上から観察した場合に、印刷画像全体が濃い濃度になり、印刷物を傾けて観察した場合に潜像部と背景部に大きな濃度差が得られなくなり、潜像部の視認性を損なう問題があった。
【００１０】
そこで、本発明は、前述した問題点を解決することを目的としたものであり、印刷物に対して真上から観察した場合に潜像部の不可視性を維持するとともに、印刷物を傾けて観察した場合に潜像部の視認性を損なうことがない偽造防止印刷物を提供するものである。
【課題を解決するための手段】
【００１１】
本発明の偽造防止印刷物は、基材上に印刷画像が形成され、印刷画像は、Ｘの方向及びＹの方向に配列された複数の画線ユニットによって形成され、印刷画像は背景部となる第１の領域と潜像部となる第２の領域を有し、第１の領域は複数の第１の画線ユニットによって形成され、第２の領域は複数の第２の画線ユニットによって形成され、第１の画線ユニットは、第１の方向に沿って第１のピッチで配列された盛り上がりのある第１の画線群を有し、第２の画線ユニットは、第１の方向に対して第１の方向とは異なった第２の方向に沿って第１のピッチで配列された盛り上がりのある第２の画線群を有し、画線ユニット間は、潜像部をカモフラージュするために所定の間隔を有して配置されたことで形成されたカモフラージュ非画線を有する印刷物であって、印刷物を傾けて観察した場合に、背景部と潜像部に濃度差が生じて潜像画像が視認されることを特徴とする。
【００１２】
本発明の偽造防止印刷物の画線ユニットは、直径が１ｍｍ以下の三角形、四角形又は六角形であることを特徴とする。
【００１３】
本発明の偽造防止印刷物は、Ｘの方向は基材の一辺に対して、３０°又は４５°の方向であり、Ｙの方向は、基材の一辺に対して、１５０°又は１３５°の方向であることを特徴とする。
【００１４】
本発明の偽造防止印刷物は、第１の画線群及び第２の画線群は、画線幅が５０μｍ〜３００μｍ、非画線幅が５０μｍ〜３００μｍ、カモフラージュ非画線の幅が５０μｍ〜３００μｍであることを特徴とする。
【００１５】
本発明の偽造防止印刷物は、第１の画線群及び第２の画線群の画線高さが、同一又は異なることを特徴とする。
【００１６】
本発明の偽造防止印刷物は、第１の画線群及び第２の画線群の少なくとも一つの画線の画線幅を異ならせることによって印刷物を真上から観察した場合に視認される画像が形成されることを特徴とする。
【発明の効果】
【００１７】
本発明の偽造防止印刷物は、印刷物を真上から観察した場合に容易に潜像部が視認され難く、濃度が従来よりも低濃度であるため、印刷物を真上から観察した場合と傾けて観察した場合に潜像部と背景部に大きな濃度差が生じ、潜像部が明瞭に視認されるため、容易に本物か偽物か真偽判別することができる。
【００１８】
また、本発明の偽造防止印刷物は、印刷物を真上から観察した場合にカモフラージュ非画線があるため、カモフラージュ図柄を形成しなくとも潜像部にある潜像画像を視認され難く、偽造防止印刷物の印刷模様がない地紋等に潜像画像が目立たず、なじませる（周囲の地紋と同化）ことができ、偽造防止効果を高めるとともに、意匠性にも広がりを持たせることができる。
【図面の簡単な説明】
【００１９】
【図１】従来の偽造防止印刷物１´を示す図である。
【図２】従来の偽造防止印刷物１´の斜視図である。
【図３】ひし形（四角形）の画線ユニットの構成要件及び配列方向を示す図である。
【図４】ひし形（四角形）の画線ユニットの構成要件及び偽造防止印刷物１を示す図である。
【図５】潜像凹版の図４（ｃ）に示された偽造防止印刷物１の斜視図である。
【図６】潜像凹版の図４（ｃ）に示された偽造防止印刷物１にカモフラージュ図柄を施すことを示す模式図である。
【図７】ひし形（四角形）の画線ユニットの構成要件及び潜像凹版の図４（ｃ）に示された偽造防止印刷物１にカモフラージュ図柄を施したことを示す図である。
【図８】潜像凹版の図７（ｃ）に示された偽造防止印刷物１の斜視図である。
【図９】ひし形（四角形）の画線ユニットの構成要件及び偽造防止印刷物１を示す図である。
【図１０】潜像凹版の図９（ｃ）に示された偽造防止印刷物１の斜視図である。
【図１１】六角形の画線ユニットの構成要件及び配列方向を示す図である。
【図１２】六角形の画線ユニットの構成要件及び偽造防止印刷物１を示す図である。
【図１３】潜像凹版の図１２（ｃ）に示された偽造防止印刷物１にカモフラージュ図柄を施すことを示す模式図である。
【図１４】潜像凹版の図１２（ｃ）に示された偽造防止印刷物１にカモフラージュ図柄を施したことを示す図である。
【図１５】潜像凹版の図１４（ｃ）に示された偽造防止印刷物１の斜視図である。
【図１６】画線ユニットの一例を示す図である。
【発明を実施するための形態】
【００２０】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００２１】
（実施の形態１）
図３は、ひし形（四角形）の画線ユニットの構成要件及び配列方向を示す図である。図３に示された偽造防止印刷物１は、基材上に印刷画像が形成され、印刷画像は、Ｘの方向（４５°）及びＹの方向（１３５°）に配列された複数の画線ユニットによって形成され、印刷画像は背景部となる第１の領域と、潜像部となる第２の領域を有し、第１の領域は第１の画線ユニットによって形成され、第２の領域は第２の画線ユニットによって形成される。
【００２２】
図３（ａ）に示された画線７ａ、画線７ｂ、画線７ｃ、非画線９ａ及び非画線９ｂに関し、第１の画線ユニットの大きさは、直径が１ｍｍ以下の大きさである。なお、画線ユニットは実施の印刷物には形成されるものではない。画線ユニット内には画線が配置される。各画線は、画線ユニット内に少なくとも二つ以上の画線を備えている。その画線ユニットの長さＳ１及び長さＳ２は同一又は異なる長さのひし形（四角形）内において、画線７ａの幅Ｗ１と高さＨ１の比較は「Ｗ１＜Ｈ１」であり左端付近に配置し、画線７ｂの幅Ｗ２と高さＨ２の比較は「Ｗ２＜Ｈ２」であり中央付近に配置し、画線７ｃの幅Ｗ３と高さＨ３の比較は「Ｗ３＜Ｈ３」であり右端付近に配置し、画線７ａ、画線７ｂ及び画線７ｃのそれぞれの画線幅Ｗ１、Ｗ２及びＷ３と非画線９ａ及び非画線９ｂのそれぞれの非画線幅Ｗ４及びＷ５は同一又は異なる幅であり、画線７ａと画線７ｂの間と画線７ｂと画線７ｃの間にそれぞれ非画線９ａ及び非画線９ｂが配置される盛り上がりを有する第１の画線ユニットである。しかし、本発明は、上記記載の条件に限定されるものではない。
【００２３】
図３（ｂ）に示された画線６ａ、画線６ｂ、画線６ｃ、非画線８ａ及び非画線８ｂに関し、第２の画線ユニットの大きさは、直径が１ｍｍ以下の大きさである。なお、画線ユニットは実施の印刷物には形成されるものではない。画線ユニット内には画線が配置される。各画線は、画線ユニット内に少なくとも二つ以上の画線を備えている。その画線ユニットの長さＳ１及び長さＳ２は同一又は異なる長さのひし形（四角形）内において、画線６ａの幅Ｗ６と高さＨ４の比較は「Ｗ６＞Ｈ４」であり上端付近に配置し、画線６ｂの幅Ｗ７と高さＨ５の比較は「Ｗ７＞Ｈ５」であり中央付近に配置し、画線６ｃの幅Ｗ８と高さＨ６の比較は「Ｗ８＞Ｈ６」であり下端付近に配置し、画線６ａ、画線６ｂ及び画線６ｃのそれぞれの画線高さＨ４、Ｈ５及びＨ６と非画線８ａ及び非画線８ｂのそれぞれの非画線高さＨ７及びＨ８は同一又は異なる高さであり画線６ａと画線６ｂの間と画線６ｂと画線６ｃの間にそれぞれ非画線８ａ及び非画線８ｂが配置される盛り上がりを有する第２の画線ユニットである。しかし、本発明は、上記記載の条件に限定されるものではない。
【００２４】
また、背景部を成す第１の画線ユニットと潜像部を成す第２の画線ユニットは、画線面積率が同一であり、画線７ａ、画線７ｂ及び画線７ｃの画線幅と非画線９ａ及び非画線９ｂの非画線幅の比率は画線幅：非画線幅＝１：１〜３：１が望ましく、画線６ａ、画線６ｂ及び画線６ｃの画線高さと非画線８ａ及び非画線８ｂの非画線高さの比率は画線高さ：非画線高さ＝１：１〜３：１が望ましい。さらに、背景部を成す第１の画線ユニットと潜像部を成す第２の画線ユニットは、画線面積率が同一であれば、第１の画線ユニットと第２の画線ユニットの画線の本数は、図１６に示すとおり何本でも構わないが、同一本数が望ましい。また、背景部を成す第１の画線ユニットの画線の配列方向及び潜像部を成す第２の画線ユニットの画線の配列方向は、９０°又はほぼ９０°の範囲で異なることが望ましい。
【００２５】
図３（ｃ）に示すように、図３（ａ）で示した背景部を成す第１の画線ユニットと図３（ｂ）で示した潜像部を成す第２の画線ユニットの配列方向は、Ｘの方向は基材の一辺に対して４５°の方向であり、Ｙの方向は、基材の一辺に対して１３５°の方向である。また、第１、第２を成す画線ユニット間は潜像部をカモフラージュするために所定の間隔を有して配置されたことで形成されたカモフラージュ非画線Ｋ１、Ｋ２、Ｋ３及びＫ４を有する印刷物であって、カモフラージュ非画線Ｋ１、Ｋ２、Ｋ３及びＫ４は同一又は異なる間隔で配置されるが、同一が望ましい。これは、間隔が異なっても第１の画線ユニットと第２の画線ユニットの画線面積率が同一であれば潜像画像は視認され難いが、間隔が異なることにより背景部と潜像部を成す印刷画像は連続階調（グラデーション）若しくは任意の模様を表現でき、意匠性は高まるが、背景部と潜像部の境目（間隔）が異なることによる人の視線の注目になり潜像画像が視認しやすくなるためである。しかし、カモフラージュ非画線Ｋ１、Ｋ２、Ｋ３及びＫ４が同一の間隔で配置される場合や、背景部を成す第１の画線ユニット内の非画線９ａ及び９ｂが、潜像部を成す第２の画線ユニット内の非画線８ａ及び８ｂ、カモフラージュ非画線Ｋ１、Ｋ２、Ｋ３及びＫ４の間隔と同一の場合、全ての間隔が均一であることから、人の視線は一点に注目せず散漫になることで潜像画像が視認し難くなる。
【００２６】
図３（ｃ）は、背景部を成す第１の画線ユニット８個に囲まれた潜像部を成す第２の画線ユニット１個の形態を示しているが、これは、印刷画像の一部を拡大した一例であり、背景部と潜像部の関係の構成が分かるように簡易的に示した模式図である。この一例のように、潜像部を成す第２の画線ユニット１個では潜像画像を形成することはできないため、第２の画線ユニットは複数配列される必要がある。その例を図４に示す。
【００２７】
（実施の形態１の作用）
図４は、ひし形（四角形）の画線ユニットの構成要件及び偽造防止印刷物を示す図である。図４（ａ）に示された背景部５を成す第１の画線ユニットは、画線７ａ、画線７ｂ、画線７ｃ、非画線９ａ及び非画線９ｂによって形成され、図３（ａ）で説明した構成要件で成る。また、図４（ｂ）に示された潜像部４を成す第２の画線ユニットは、画線６ａ、画線６ｂ、画線６ｃ、非画線８ａ及び非画線８ｂによって形成され、図３（ｂ）で説明した構成要件で成る。
【００２８】
図４（ｃ）の偽造防止印刷物１に示されたように、基材２上の印刷領域３に形成される印刷画像は、Ｘの方向（４５°）及びＹの方向（１３５°）に配列された複数の画線ユニットによって形成される。印刷画像は、背景部５となる第１の領域と潜像部４となる第２の領域を有し、第１の領域は第１の画線ユニットを成す画線７、非画線９によって形成され、第２の領域は第２の画線ユニットを成す画線６、非画線８によって形成される。第１の画線ユニットは、第１の方向に沿って第１のピッチで配列された盛り上がりを有する第１の画線群を有し、第２の画線ユニットは、第２の方向に沿って第１のピッチで配列された盛り上がりを有する第２の画線群を有している。第１の方向と第２の方向は、９０°の異なった方向に配列され、潜像部４を成す第２の画線ユニットは潜像画像「Ｐ」が形成される。画線ユニット間は、潜像部４をカモフラージュするために所定の間隔を有して配置されたことで形成されたカモフラージュ非画線Ｋ１、Ｋ２、Ｋ３及びＫ４を有する。この印刷物を傾けて観察した場合に、背景部５と潜像部４に濃度差が生じて潜像画像が視認される。
【００２９】
また、第１の画線群及び第２の画線群は、画線幅が５０μｍ〜３００μｍ、非画線幅が５０μｍ〜３００μｍ、カモフラージュ非画線の幅が５０μｍ〜３００μｍである。さらに、偽造防止印刷物１は、第１の画線群及び第２の画線群の画線高さが、同一又は異なる。
【００３０】
なお、本実施の形態１では、画線ユニットの長さＳ１及び長さＳ２が２００μｍで、印刷領域３がオフセット印刷によりコート紙に印刷されている。しかし、画線ユニットの長さＳ１及びＳ２、印刷物の基材、印刷方法、印刷材料、印刷装置等について何ら限定するものでない。
【００３１】
図５は、図４（ｃ）に示された偽造防止印刷物の斜視図である。この偽造防止印刷物１における印刷領域３を正面（鉛直方向）から観察した場合、背景部５と潜像部４は、同一画線面積率で配置されているため、一様の濃度として観察されることから、施されている潜像画像「Ｐ」を容易に認識することができない。一方、図５に示すように、偽造防止印刷物１をＦ１方向（斜め）から傾けて観察すると、潜像部４を成す画線６は、偽造防止印刷物１を傾ける角度に対して直交する方向に配列されていることから、インキの盛り高さを有する画線によって各々の非画線部が隠蔽され、高濃度となるが、背景部５を成す画線７は、偽造防止印刷物１を傾ける方向に沿って配列されていることから、偽造防止印刷物１を傾けても各々の非画線部の濃度は変化しない。これにより、潜像画像「Ｐ」が顕像となって出現する。
【００３２】
（実施の形態２）
図６に示された偽造防止印刷物１は、図４（ｃ）に示された偽造防止印刷物１にカモフラージュ図柄１０を施すことを示す模式図である。本来、背景部５と潜像部４は、同一画線面積率で配置されているためと、潜像部４をカモフラージュするためのカモフラージュ非画線があるため、一様の濃度として観察されることから、潜像画像をカモフラージュするためのカモフラージュ図柄は必要とされないが、意匠性の観点から、意匠性とカモフラージュの関係は「意匠性＞カモフラージュ」である。
【００３３】
（実施の形態２の作用）
図７は、図４（ｃ）に示された偽造防止印刷物に、カモフラージュ図柄を施したことを示す図である。図７（ａ）に示された背景部５を成す第１の画線ユニットは、画線７ａ、画線７ｂ、画線７ｃ、非画線９ａ及び非画線９ｂによって形成され、図３（ａ）で説明した構成要件で成る。また、図７（ｂ）に示された潜像部４を成す第２の画線ユニットは、画線６ａ、画線６ｂ、画線６ｃ、非画線８ａ及び非画線８ｂによって形成され、図３（ｂ）で説明した構成要件で成る。
【００３４】
図７（ｃ）の偽造防止印刷物１に示されたように、基材２上の印刷領域３に形成される印刷画像は、Ｘの方向（４５°）及びＹの方向（１３５°）に配列された複数の画線ユニットによって形成される。印刷画像は、背景部５となる第１の領域と潜像部４となる第２の領域を有し、第１の領域は第１の画線ユニットを成す画線７、非画線９によって形成され、第２の領域は第２の画線ユニットを成す画線６、非画線８によって形成される。第１の画線ユニットは、第１の方向に沿って第１のピッチで配列された盛り上がりを有する第１の画線群を有し、第２の画線ユニットは第２の方向に沿って第１のピッチで配列された盛り上がりを有する第２の画線群を有している。第１の方向と第２の方向は、９０°の異なった方向に配列され、潜像部４を成す第２の画線ユニットは潜像画像「Ｐ」が形成される。背景部５と潜像部４にまたがったカモフラージュ図柄１０の画線１１は、カモフラージュ図柄１０にまたがった第１の画線ユニットを成す画線７と、第２の画線ユニットを成す画線６の画線の画線幅及び画線高さを異ならせることによって印刷物を真上から観察した場合に視認される画像が形成される。画線ユニット間は、潜像部４をカモフラージュするために所定の間隔を有して配置されたことで形成されたカモフラージュ非画線Ｋ１、Ｋ２、Ｋ３及びＫ４を有する。この印刷物を傾けて観察した場合に、背景部５と潜像部４に濃度差が生じて潜像画像が視認される偽造防止印刷物である。
【００３５】
また、偽造防止印刷物１は、第１の画線群及び第２の画線群は、画線幅が５０μｍ〜３００μｍ、非画線幅が５０μｍ〜３００μｍ、カモフラージュ非画線の幅が５０μｍ〜３００μｍである。さらに、偽造防止印刷物１は、第１の画線群及び第２の画線群の画線高さが、同一又は異なる。
【００３６】
なお、本実施の形態２では、画線ユニットの長さＳ１及び長さＳ２が２００μｍで、印刷領域３がオフセット印刷によりコート紙に印刷されている。しかし、画線ユニットの長さＳ１及びＳ２、印刷物の基材、印刷方法、印刷材料、印刷装置等について何ら限定するものでない。
【００３７】
図８は、図７（ｃ）に示された偽造防止印刷物の斜視図である。この偽造防止印刷物１における印刷領域３を正面（鉛直方向）から観察した場合、背景部５と潜像部４は、同一画線面積率で配置されているため、一様の濃度として観察されることから、施されている潜像画像「Ｐ」を容易に認識することができない。一方、偽造防止印刷物１をＦ１方向（斜め）から傾けて観察すると、潜像部４を成す画線６は、偽造防止印刷物１を傾ける角度に対して直交する方向に配列されていることから、インキの盛り高さを有する画線によって各々の非画線部が隠蔽され、高濃度となるが、背景部５を成す画線７は、偽造防止印刷物１を傾ける方向に沿って配列されていることから、偽造防止印刷物１を傾けても各々の非画線部の濃度は変化しない。これにより、潜像画像「Ｐ」が顕像となって出現する。また、カモフラージュ図柄１０が観察されないのは、背景部５を成す画線７と潜像部４を成す画線６の画線と画線方向が同一のためである。しかし、画線の画線幅及び画線高さを異ならせているのでＦ１方向（斜め）から傾けて観察したときでも若干、顕像化してしまう。
【００３８】
（実施の形態３）
図９は、ひし形（四角形）の画線ユニットの構成要件及び偽造防止印刷物を示す図である。図９に示された偽造防止印刷物１は、基材上に印刷画像が形成され、印刷画像は、Ｘの方向（４５°）及びＹの方向（１３５°）に配列された複数の画線ユニットによって形成され、印刷画像は背景部となる第１の領域と、潜像部となる第２の領域を有し、第１の領域は第１の画線ユニットによって形成され、第２の領域は第２の画線ユニットによって形成される。また、図９（ｃ）に示された偽造防止印刷物１は、図４（ｃ）に示された偽造防止印刷物１の背景部５の画線７と潜像部４の画線６の縦画線、横画線を入れ替えたものである。
【００３９】
図９（ａ）に示された画線７ａ、画線７ｂ、画線７ｃ、非画線９ａ及び非画線９ｂに関し、第１の画線ユニットの大きさは、直径が１ｍｍ以下の大きさである。なお、画線ユニットは実施の印刷物には形成されるものではない。画線ユニット内には画線が配置される。各画線は、画線ユニット内に少なくとも二つ以上の画線を備えている。その画線ユニットの長さＳ１及び長さＳ２は同一又は異なる長さのひし形（四角形）内において、画線７ａの幅Ｗ６と高さＨ４の比較は「Ｗ６＞Ｈ４」であり上端付近に配置し、画線７ｂの幅Ｗ７と高さＨ５の比較は「Ｗ７＞Ｈ５」であり中央付近に配置し、画線７ｃの幅Ｗ８と高さＨ６の比較は「Ｗ８＞Ｈ６」であり下端付近に配置し、画線７ａ、画線７ｂ及び画線７ｃのそれぞれの画線高さＨ４、Ｈ５及びＨ６と、非画線９ａ及び非画線９ｂのそれぞれの非画線高さＨ７及びＨ８は同一又は異なる高さであり、画線７ａと画線７ｂの間と画線７ｂと画線７ｃの間にそれぞれ非画線９ａ及び非画線９ｂが配置される盛り上がりを有する第１の画線ユニットである。しかし、本発明は、上記記載の条件に限定されるものではない。
【００４０】
図９（ｂ）に示された画線６ａ、画線６ｂ、画線６ｃ、非画線８ａ及び非画線８ｂに関し、第２の画線ユニットの大きさは、直径が１ｍｍ以下の大きさである。なお、画線ユニットは実施の印刷物には形成されるものではない。画線ユニット内には画線が配置される。各画線は、画線ユニット内に少なくとも二つ以上の画線を備えている。その画線ユニットの長さＳ１及び長さＳ２は同一又は異なる長さのひし形（四角形）内において、画線６ａの幅Ｗ１と高さＨ１の比較は「Ｗ１＜Ｈ１」であり左端付近に配置し、画線６ｂの幅Ｗ２と高さＨ２の比較は「Ｗ２＜Ｈ２」であり中央付近に配置し、画線６ｃの幅Ｗ３と高さＨ３の比較は「Ｗ３＜Ｈ３」であり右端付近に配置し、画線６ａ、画線６ｂ及び画線６ｃのそれぞれの画線幅Ｗ１、Ｗ２及びＷ３と非画線８ａ及び非画線８ｂのそれぞれの非画線幅Ｗ４及びＷ５は同一又は異なる幅であり画線６ａと画線６ｂの間と画線６ｂと画線６ｃの間にそれぞれ非画線８ａ及び非画線８ｂが配置される盛り上がりを有する第２の画線ユニットである。しかし、本発明は、上記記載の条件に限定されるものではない。
【００４１】
また、背景部を成す第１の画線ユニットと潜像部を成す第２の画線ユニットは、画線面積率が同一であり、画線７ａ、画線７ｂ及び画線７ｃの画線高さと非画線９ａ及び非画線９ｂの非画線高さの比率は画線高さ：非画線高さ＝１：１〜３：１が望ましい。画線６ａ、画線６ｂ及び画線６ｃの画線幅と非画線８ａ及び非画線８ｂの非画線幅の比率は画線幅：非画線幅＝１：１〜３：１が望ましく、さらに、背景部を成す第１の画線ユニットと潜像部を成す第２の画線ユニットは、画線面積率が同一であれば、第１の画線ユニットと第２の画線ユニットの画線の本数は、図１６に示すとおり何本でも構わないが、同一本数が望ましい。また、さらに、背景部を成す第１の画線ユニットの画線の配列方向及び潜像部を成す第２の画線ユニットの画線の配列方向は、９０°又はほぼ９０°の範囲で異なることが望ましい。
【００４２】
（実施の形態３の作用）
図９（ｃ）の偽造防止印刷物１に示されたように、基材２上の印刷領域３に形成される印刷画像は、Ｘの方向（４５°）及びＹの方向（１３５°）に配列された複数の画線ユニットによって形成され、印刷画像は背景部５となる第１の領域と潜像部４となる第２の領域を有し、第１の領域は第１の画線ユニットを成す画線７、非画線９によって形成され、第２の領域は第２の画線ユニットを成す画線６、非画線８によって形成される。第１の画線ユニットは、第１の方向に沿って第１のピッチで配列された盛り上がりを有する第１の画線群を有し、第２の画線ユニットは第２の方向に沿って第１のピッチで配列された盛り上がりを有する第２の画線群を有している。第１の方向と第２の方向は、９０°の異なった方向に配列され、潜像部４を成す第２の画線ユニットは潜像画像「Ｐ」が形成される。画線ユニット間は、潜像部４をカモフラージュするために所定の間隔を有して配置されたことで形成されたカモフラージュ非画線Ｋ１、Ｋ２、Ｋ３及びＫ４を有する。この印刷物を傾けて観察した場合に背景部５と潜像部４に濃度差が生じて潜像画像が視認される偽造防止印刷物である。
【００４３】
また、偽造防止印刷物１は、第１の画線群及び第２の画線群は、画線幅が５０μｍ〜３００μｍ、非画線幅が５０μｍ〜３００μｍ、カモフラージュ非画線の幅が５０μｍ〜３００μｍである。さらに、偽造防止印刷物１は、第１の画線群及び第２の画線群の画線高さが、同一又は異なる。
【００４４】
なお、本実施の形態３では、画線ユニットの長さＳ１及び長さＳ２が２００μｍで、印刷領域３がオフセット印刷によりコート紙に印刷されている。しかし、画線ユニットの長さＳ１及びＳ２、印刷物の基材、印刷方法、印刷材料、印刷装置等について何ら限定するものでない。
【００４５】
図１０は、図９（ｃ）に示された偽造防止印刷物の斜視図である。この偽造防止印刷物１における印刷領域３を正面（鉛直方向）から観察した場合、背景部５と潜像部４は、同一画線面積率で配置されているため、一様の濃度として観察されることから、施されている潜像画像「Ｐ」を容易に認識することができない。一方、図１０に示すように、偽造防止印刷物１をＦ１方向（斜め）から傾けて観察すると、潜像部４を成す画線６は、偽造防止印刷物１を傾ける方向に沿って配列されていることから、偽造防止印刷物１を傾けても各々の非画線部の濃度は変化しないが、背景部５を成す画線７は、偽造防止印刷物１を傾ける角度に対して直交する方向に配列されていることから、インキの盛り高さを有する画線によって各々の非画線部が隠蔽され、高濃度となる。これにより、潜像画像「Ｐ」が顕像となって出現する。つまり、実施の形態２における効果を示した図５と、実施の形態３における効果を示した図１０の斜視図を比較すると、出現する潜像画像「Ｐ」の文字が低濃度と高濃度で入れ替わっていることが分かる。
【００４６】
上述した実施の形態１と実施の形態３の説明から分かるように、図４と図９に示した構成のように、背景部５を成す第１の画線ユニットと潜像部４を成す第２の画線ユニットの画線の構成要件を入れ替えれば（縦画線及び横画線を入れ替える。）、図５と図１０に示した効果のように、出現する潜像画像「Ｐ」の文字を高濃度と低濃度に入れ替えることができる。したがって、画線の構成要件が同一でも背景部に配置するか、潜像部に配置するかによって顕像となって出現する潜像画像は異なってくる。これは意匠性としてはとても重要である。
【００４７】
（実施の形態４）
図１１は、六角形の画線ユニットの構成要件及び配列方向を示す図である。図１１に示された偽造防止印刷物１は、基材上に印刷画像が形成され、印刷画像は、Ｘの方向（３０°）及びＹの方向（１５０°）に配列された複数の画線ユニットによって形成され、印刷画像は背景部となる第１の領域と潜像部となる第２の領域を有し、第１の領域は第１の画線ユニットによって形成され、第２の領域は第２の画線ユニットによって形成される。
【００４８】
図１１（ａ）に示された画線７ａ、画線７ｂ、非画線９ａに関し、第１の画線ユニットの大きさは、直径が１ｍｍ以下の大きさである。なお、画線ユニットは実施の印刷物には形成されるものではない。画線ユニット内には画線が配置される。各画線は、画線ユニット内に少なくとも二つ以上の画線を備えている。その画線ユニットの長さＳ１及び長さＳ２は同一又は異なる長さの六角形内において、画線７ａの幅Ｗ１と高さＨ１の比較は「Ｗ１＜Ｈ１」であり左端付近に配置し、画線７ｂの幅Ｗ２と高さＨ２の比較は「Ｗ２＜Ｈ２」であり右端付近に配置し、画線７ａ及び画線７ｂのそれぞれの画線幅Ｗ１及びＷ２と非画線９ａの非画線幅Ｗ３は同一又は異なる幅であり、画線７ａと画線７ｂの間に非画線９ａが配置される盛り上がりを有する第１の画線ユニットである。しかし、本発明は、上記記載の条件に限定されるものではない。
【００４９】
図１１（ｂ）に示された画線６ａ、画線６ｂ、非画線８ａに関し、第２の画線ユニットの大きさは、直径が１ｍｍ以下の大きさである。なお、画線ユニットは実施の印刷物には形成されるものではない。画線ユニット内には画線が配置される。各画線は、画線ユニット内に少なくとも二つ以上の画線を備えている。その画線ユニットの長さＳ１及び長さＳ２は同一又は異なる長さの六角形内において、画線６ａの幅Ｗ４と高さＨ３の比較は「Ｗ４＞Ｈ３」であり上端付近に配置し、画線６ｂの幅Ｗ５と高さＨ４の比較は「Ｗ５＞Ｈ４」で下端付近に配置し、画線６ａ及び画線６ｂのそれぞれの画線高さＨ３及びＨ４と非画線８ａの非画線高さＨ５は同一又は異なる高さであり画線６ａと画線６ｂの間に非画線８ａが配置される盛り上がりを有する第２の画線ユニットである。しかし、本発明は、上記記載の条件に限定されるものではない。
【００５０】
また、背景部を成す第１の画線ユニットと潜像部を成す第２の画線ユニットは、画線面積率が同一であり、画線７ａ及び画線７ｂの画線幅と非画線９ａの非画線幅の比率は画線幅：非画線幅＝１：１〜３：１が望ましく、画線６ａ及び画線６ｂの画線高さと非画線８ａの非画線高さの比率は画線高さ：非画線高さ＝１：１〜３：１が望ましい。さらに、背景部を成す第１の画線ユニットと潜像部を成す第２の画線ユニットは、画線面積率が同一であれば、第１の画線ユニットと第２の画線ユニットの画線の本数は、図１６に示すとおり何本でも構わないが、同一本数が望ましい。また、さらに、背景部を成す第１の画線ユニットの画線の配列方向及び潜像部を成す第２の画線ユニットの画線の配列方向は、９０°又はほぼ９０°の範囲で異なることが望ましい。
【００５１】
図１１（ｃ）に示すように、図１１（ａ）で示した背景部を成す第１の画線ユニットと図１１（ｂ）で示した潜像部を成す第２の画線ユニットの配列方向は、Ｘの方向は基材の一辺に対して、３０°の方向であり、Ｙの方向は、基材の一辺に対して、１５０°の方向である。また、第１、第２を成す画線ユニット間は潜像部をカモフラージュするために所定の間隔を有して配置されたことで形成されたカモフラージュ非画線Ｋ５、Ｋ６、Ｋ７、Ｋ８、Ｋ９及びＫ１０を有する印刷物であって、カモフラージュ非画線Ｋ５、Ｋ６、Ｋ７、Ｋ８、Ｋ９及びＫ１０は同一又は異なる間隔で配置されるが、カモフラージュ非画線Ｋ５、Ｋ６、Ｋ７、Ｋ８、Ｋ９及びＫ１０は同一が望ましい。それは、間隔が異なっても第１の画線ユニットと第２の画線ユニットの画線面積率が同一であれば潜像画像は視認され難いが、間隔が異なることにより背景部と潜像部を成す印刷画像は連続階調（グラデーション）若しくは任意の模様を表現でき、意匠性は高まるが、背景部と潜像部の境目（間隔）が異なることによる人の視線の注目になり潜像画像が視認しやすくなるためである。しかし、カモフラージュ非画線Ｋ５、Ｋ６、Ｋ７、Ｋ８、Ｋ９及びＫ１０が同一の間隔で配置される場合や、背景部を成す第１の画線ユニット内の非画線９ａが、潜像部を成す第２の画線ユニット内の非画線８ａ、カモフラージュ非画線Ｋ５、Ｋ６、Ｋ７、Ｋ８、Ｋ９及びＫ１０の間隔と同一の場合、全ての間隔が均一であることから、人の視線は一点に注目せず散漫になることで潜像画像が視認し難くなる。
【００５２】
図１１（ｃ）は、背景部を成す第１の画線ユニット６個に囲まれた潜像部を成す第２の画線ユニット１個の形態を示しているが、これは、印刷画像の一部を拡大した一例であり、背景部と潜像部の関係の構成が分かるように簡易的に示した模式図である。この一例のように、潜像部を成す第２の画線ユニット１個では潜像画像を形成することはできないため、第２の画線ユニットは複数配列される必要がある。その例を図１２に示す。
【００５３】
（実施の形態４の作用）
図１２は、六角形の画線ユニットの構成要件及び偽造防止印刷物を示す図である。図１２（ａ）に示された背景部５を成す第１の画線ユニットは、画線７ａ、画線７ｂ及び非画線９ａによって形成され、図１１（ａ）で説明した構成要件で成る。また、図１２（ｂ）に示された潜像部４を成す第２の画線ユニットは、画線６ａ、画線６ｂ及び非画線８ａによって形成され、図１１（ｂ）で説明した構成要件で成る。
【００５４】
図１２（ｃ）の偽造防止印刷物１に示されたように、基材２上の印刷領域３に形成される印刷画像は、Ｘの方向（３０°）及びＹの方向（１５０°）に配列された複数の画線ユニットによって形成される。印刷画像は、背景部５となる第１の領域と潜像部４となる第２の領域を有し、第１の領域は第１の画線ユニットを成す画線７、非画線９によって形成され、第２の領域は第２の画線ユニットを成す画線６、非画線８によって形成される。第１の画線ユニットは、第１の方向に沿って第１のピッチで配列された盛り上がりを有する第１の画線群を有し、第２の画線ユニットは第２の方向に沿って第１のピッチで配列された盛り上がりを有する第２の画線群を有している。第１の方向と第２の方向は、９０°の異なった方向に配列され、潜像部４を成す第２の画線ユニットは潜像画像「Ｐ」が形成される。画線ユニット間は、潜像部４をカモフラージュするために所定の間隔を有して配置されたことで形成されたカモフラージュ非画線Ｋ５、Ｋ６、Ｋ７、Ｋ８、Ｋ９及びＫ１０を有する。この印刷物を傾けて観察した場合に背景部５と潜像部４に濃度差が生じて潜像画像が視認される偽造防止印刷物である。
【００５５】
また、偽造防止印刷物１は、第１の画線群及び第２の画線群は、画線幅が５０μｍ〜３００μｍ、非画線幅が５０μｍ〜３００μｍ、カモフラージュ非画線の幅が５０μｍ〜３００μｍである。さらに、偽造防止印刷物１は、第１の画線群及び第２の画線群の画線高さが、同一又は異なる。
【００５６】
なお、本実施の形態４では、画線ユニットの長さＳ１及び長さＳ２が２００μｍで、印刷領域３がオフセット印刷によりコート紙に印刷されている。しかし、画線ユニットの長さＳ１及びＳ２、印刷物の基材、印刷方法、印刷材料、印刷装置等について何ら限定するものでない。
【００５７】
図１２（ｃ）に示された偽造防止印刷物１の斜視図は、図５に示された斜視図と同一である。この偽造防止印刷物１における印刷領域３を正面（鉛直方向）から観察した場合、背景部５と潜像部４は、同一画線面積率で配置されているため、一様の濃度として観察されることから、施されている潜像画像「Ｐ」を容易に認識することができない。一方、図５に示すように、偽造防止印刷物１をＦ１方向（斜め）から傾けて観察すると、潜像部４を成す画線６は、偽造防止印刷物１を傾ける角度に対して直交する方向に配列されていることから、インキの盛り高さを有する画線によって各々の非画線部が隠蔽され、高濃度となるが、背景部５を成す画線７は、偽造防止印刷物１を傾ける方向に沿って配列されていることから、偽造防止印刷物１を傾けても各々の非画線部の濃度は変化しない。これにより、潜像画像「Ｐ」が顕像となって出現する。
【００５８】
（実施の形態５）
図１３は、図１２（ｃ）に示された偽造防止印刷物にカモフラージュ図柄を施すことを示す模式図である。図１３に示された偽造防止印刷物１は、図１２（ｃ）に示された偽造防止印刷物１にカモフラージュ図柄１０を施すことを示す模式図である。本来、背景部５と潜像部４は、同一画線面積率で配置されているためと、潜像部４をカモフラージュするためのカモフラージュ非画線があるため、一様の濃度として観察されることから、潜像画像をカモフラージュするためのカモフラージュ図柄は必要とされないが、意匠性の観点から、意匠性とカモフラージュの関係は「意匠性＞カモフラージュ」である。また、カモフラージュ図柄を施した偽造防止印刷物１の詳細については図１４に記載している。
【００５９】
（実施の形態５の作用）
図１４は、図１２（ｃ）に示された偽造防止印刷物にカモフラージュ図柄を施したことを示す図である。図１４（ａ）に示された背景部５を成す第１の画線ユニットは、画線７ａ、画線７ｂ及び非画線９ａによって形成され、図１１（ａ）で説明した構成要件で成る。また、図１４（ｂ）に示された潜像部４を成す第２の画線ユニットは、画線６ａ、画線６ｂ及び非画線８ａによって形成され、図１１（ｂ）で説明した構成要件で成る。
【００６０】
図１４（ｃ）の偽造防止印刷物１に示されたように、基材２上の印刷領域３に形成される印刷画像は、Ｘの方向（３０°）及びＹの方向（１５０°）に配列された複数の画線ユニットによって形成される。印刷画像は、背景部５となる第１の領域と潜像部４となる第２の領域を有し、第１の領域は第１の画線ユニットを成す画線７、非画線９によって形成され、第２の領域は第２の画線ユニットを成す画線６、非画線８によって形成される。第１の画線ユニットは、第１の方向に沿って第１のピッチで配列された盛り上がりを有する第１の画線群を有し、第２の画線ユニットは第２の方向に沿って第１のピッチで配列された盛り上がりを有する第２の画線群を有している。第１の方向と第２の方向は、９０°の異なった方向に配列され、潜像部４を成す第２の画線ユニットは潜像画像「Ｐ」が形成される。背景部５と潜像部４にまたがったカモフラージュ図柄１０の画線１１は、カモフラージュ図柄１０にまたがった第１の画線ユニットを成す画線７と第２の画線ユニットを成す画線６の画線の画線幅及び画線高さを異ならせることによって印刷物を真上から観察した場合に視認される画像が形成される。画線ユニット間は、潜像部４をカモフラージュするために所定の間隔を有して配置されたことで形成されたカモフラージュ非画線Ｋ５、Ｋ６、Ｋ７、Ｋ８、Ｋ９及びＫ１０を有する。この印刷物を傾けて観察した場合に背景部５と潜像部４に濃度差が生じて潜像画像が視認される偽造防止印刷物である。
【００６１】
また、偽造防止印刷物１は、第１の画線群及び第２の画線群は、画線幅が５０μｍ〜３００μｍ、非画線幅が５０μｍ〜３００μｍ、カモフラージュ非画線の幅が５０μｍ〜３００μｍである。さらに、偽造防止印刷物１は、第１の画線群及び第２の画線群の画線高さが、同一又は異なる。
【００６２】
なお、本実施の形態５では、画線ユニットの長さＳ１及び長さＳ２が２００μｍで、印刷領域３がオフセット印刷によりコート紙に印刷されている。しかし、画線ユニットの長さＳ１及びＳ２、印刷物の基材、印刷方法、印刷材料、印刷装置等について何ら限定するものでない。
【００６３】
図１５は、図１４（ｃ）に示された偽造防止印刷物の斜視図である。この偽造防止印刷物１における印刷領域３を正面（鉛直方向）から観察した場合、背景部５と潜像部４は、同一画線面積率で配置されているため、一様の濃度として観察されることから、施されている潜像画像「Ｐ」を容易に認識することができない。一方、図１５に示すように、偽造防止印刷物１をＦ１方向（斜め）から傾けて観察すると、潜像部４を成す画線６は、偽造防止印刷物１を傾ける角度に対して直交する方向に配列されていることから、インキの盛り高さを有する画線によって各々の非画線部が隠蔽され、高濃度となるが、背景部５を成す画線７は、偽造防止印刷物１を傾ける方向に沿って配列されていることから、偽造防止印刷物１を傾けても各々の非画線部の濃度は変化しない。これにより、潜像画像「Ｐ」が顕像となって出現する。また、カモフラージュ図柄１０が観察されないのは、背景部５を成す画線７と潜像部４を成す画線６の画線と画線方向が同一のためである。しかし、画線の画線幅及び画線高さを異ならせているのでＦ１方向（斜め）から傾けて観察したときでも若干、顕像化してしまう。
【００６４】
図１６は、画線ユニットの一例を示す図である。図１６（ａ）、（ｂ）は、画線ユニットのひし形（四角形）の一例を示す図である。図１６（ｃ）、（ｄ）は、画線ユニットの六角形の一例を示す図である。また、図１６（ａ１）と（ａ２）、図１６（ｂ１）と（ｂ２）、図１６（ｃ１）と（ｃ２）、図１６（ｄ１）と（ｄ２）の各々の画線面積率は同一であるが、画線ユニット内にある画線の本数（２本〜４本）について何ら限定するものでない。さらに、図１６（ａ１）に示されるように、括弧なしの符号で示す潜像部４を成す画線６ａ、画線６ｂ及び非画線８ａと、括弧ありの符号で示す背景部５を成す画線７ａ、画線７ｂ及び非画線９ａにおいて、一つの画線ユニットは、潜像部４にも背景部５にもなり得ることを示している。図１６（ａ２）に示されるように、括弧なしの符号で示す背景部５を成す画線７ａ、画線７ｂ、画線７ｃ、非画線９ａ及び非画線９ｂと、括弧ありの符号で示す潜像部４を成す画線６ａ、画線６ｂ、画線６ｃ、非画線８ａ及び非画線８ｂにおいて、一つの画線ユニットは、潜像部４にも背景部５にもなり得ることを示している。しかし、図１６（ａ１）が潜像部４のときは、図１６（ａ２）は背景部５になり、図１６（ａ１）が背景部５のときは、図１６（ａ２）は潜像部４になる法則を保持しつつ、潜像部４を形成する画線と背景部５を形成する画線の配列方向も、９０°又はほぼ９０°の範囲で異なることが好ましい。したがって、図１６（ｂ１）と（ｂ２）、図１６（ｃ１）と（ｃ２）、図１６（ｄ１）と（ｄ２）の各々についても同じことがいえる。これは、図５と図１０を比較して分かるように、潜像画像「Ｐ」の文字が高濃度になるか、低濃度になるかは、意匠性としてはとても重要である。
【００６５】
また、画線ユニットの形状は、ひし形（四角形）や六角形に限らず、三角形等の多角形状であればよい。さらに、印刷画像中の複数の画線ユニットは、全てが同じ多角形状のユニットで形成しなくてもよく、例えば、五角形と六角形の二種類を使用して、混在した多角形状のユニットで形成してもよい。ただし、潜像画像の視認性を考慮すると、全て同じ多角形状のユニットで形成することが望ましい。
【００６６】
（基材の説明）
本発明における基材２は、上質紙、コート紙、アート紙等の紙葉類、フィルム、プラスチック等を用いることができ、潜像印刷領域３に形成される画線が形成可能であれば、特に限定されるものではない。ただし、基材と画線に明度差を有する必要があるため、基材が白色系の高い明度である場合、画線は黒色等の低明度であることが好ましい。若しくは、基材が黒色系の低い明度である場合、画線は白色等の高明度であることが好ましい。これは、潜像画像を視認するために基材と画線の明度差を利用しているためである。つまり、基材２の明度と画線の明度は、明度差が高ければ高いほど本発明の効果を奏することができる。
【００６７】
（潜像印刷領域、潜像部及び潜像部の説明）
明細書中に記載される印刷領域３とは、潜像部４の画線６と背景部５の画線７が形成される領域のことであり、実際に領域の輪郭に印刷画線等が形成されるものではない。ただし、印刷領域３の輪郭に画線を形成することもできる。同様に、潜像部４とは画線６が形成される領域のことであり、背景部５とは画線７が形成される領域のことであり、実際に領域の輪郭に印刷画線等が形成されるものではない。ただし、潜像部４及び／又は背景部５の輪郭に画線を形成することもできる。
【００６８】
（画線、非画線の説明）
潜像部４を形成する画線６及び背景部５を形成する画線７は、盛り上がりのある画線で形成する必要がある。印刷方式については、盛り上がりのある画線が形成できれば特に限定されることはないが、凹版印刷、スクリーン印刷、発泡印刷等が好ましい。インキの種類は特に限定されることはないが、基材と明度差を有していることが好ましい。また、磁気特性や光学特性を備える顔料をインキに配合することで読取装置による真偽判別効果も併せて備えることができる。
【００６９】
潜像部４を形成する画線６及び背景部５を形成する画線７の高さは、０．０１〜０．１０ｍｍの範囲が好ましい。潜像部４を形成する画線６、背景部５を形成する画線７の高さが、０．０１ｍｍ未満であると、偽造防止印刷物１を斜めから観察した場合に観察角度及び画線のインキ盛り量に起因して非画線部が画線隠蔽領域によって消失される面積が極めて少なくなり、潜像画像が視認し難い問題が生じる。潜像部４を形成する画線６、背景部５を形成する画線７の高さが、０．１０ｍｍよりも高いと作成上困難性を有する。したがって、画線の高さは、０．０１ｍｍ以上、好ましくは、０．０２〜０．１０ｍｍが望ましい。
【００７０】
潜像部に配列される画線の高さと、背景部に配列される画線の高さの差が１０μｍ〜１００μｍであることが好ましい。潜像部に配列される画線の高さと、背景部に配列される画線の高さの差が１０μｍよりも小さい場合、背景部と潜像部の画線の高さに起因する明度差が得られないため、潜像画像が視認し難い状態となる。
【００７１】
また、潜像部４を形成する画線６及び背景部５を形成する画線７は、規則的に配置する。画線６及び画線７の画線幅は、５０μｍ〜３００μｍとすることができ、好ましくは、１００μｍ〜２００μｍが望ましい。さらに、画線６及び画線７の画線ピッチは、１００μｍ〜６００μｍとすることができ、好ましくは、２００μｍ〜４００μｍが望ましい。ただし、非画線の画線幅が２００μｍ未満では、印刷時に画線詰りや拭き残り等が発生しやすいため、非画線の画線幅は、２００μｍ以上とすることが望ましい。
【００７２】
また、潜像部４を形成する画線６及び背景部５を形成する画線７の画線幅と非画線幅の比率は、画線幅：非画線幅＝１：１〜３：１が望ましい。理由は、前述の比率よりも画線幅の比率が高いと、潜像画像が暗くなり、意匠性の制約を受けるためである。一方、前述の比率よりも画線幅の比率が低いと、所定の観察角度から視認した場合、非画線を画線で隠蔽することができない。ただし、潜像部４及び背景部５の一部にカモフラージュ図柄として画線の太細で形成する場合は、この限りではない。さらに、潜像部４に配列される画線６が同一ピッチ又はほぼ同一ピッチで、かつ、同一画線幅又はほぼ同一画線幅で配置され、背景部５に配列される画線７が潜像部４の画線６のピッチと同一ピッチ又はほぼ同一ピッチで、かつ、潜像部４の画線６の画線幅と同一画線幅又はほぼ同一画線幅で配置され、カモフラージュ非画線が潜像部４の非画線８の非画線幅と同一非画線幅又はほぼ同一非画線幅であることが好ましい。しかし、図１６に示されたように、潜像部４に配列される画線６と背景部５に配列される画線７の画線面積率が同一であれば、ピッチと画線幅及び画線の本数は同一である必要はない。
【００７３】
潜像部４を形成する画線６の配列方向及び背景部５を形成する画線７の配列方向は、９０°又はほぼ９０°の範囲で異なることが好ましい。９０°又はほぼ９０°の範囲以外であると、カモフラージュ非画線を形成しているため、潜像部４と背景部５の明度差が低く、潜像画像が視認し難い問題が生じる。
【００７４】
（カモフラージュ非画線の説明）
カモフラージュ非画線は、潜像部をカモフラージュするための所定の間隔である。画線ユニット間の間隔（カモフラージュ非画線）は、同一が好ましい。理由は、間隔が異なっても第１の画線ユニットと第２の画線ユニットの画線面積率が同一であれば潜像画像は視認され難いが、間隔が異なることにより背景部と潜像部を成す印刷画像は連続階調（グラデーション）若しくは任意の模様を表現でき、意匠性は高まるが、背景部と潜像部の境目（間隔）が異なることによる人の視線の注目になり潜像画像が視認しやすくなるためである。しかし、カモフラージュ非画線が同一の場合や、背景部を成す第１の画線ユニットと潜像部を成す第２の画線ユニット内の非画線もカモフラージュ非画線と同一の場合、全ての間隔が均一であることから、人の視線は一点に注目せず散漫になることで潜像画像が視認し難くなる。
【００７５】
また、潜像部４を形成する画線６、背景部５を形成する画線７は、直線、曲線、破線、一点鎖線、ジグザグ線、微小文字等、特に限定されることがないが、直線で形成することが最も好ましい。
【００７６】
以上、本発明の偽造防止印刷物の画線設計は上記範囲内で画線高さ、画線幅、画線ピッチ、配列方向及び画線種類を適宜組み合わせて設計すればよい。
【００７７】
（カモフラージュ画像）
本発明の偽造防止印刷物は、背景部５に配列される画線７が潜像部４の画線６の少なくとも一部の単位長さ当たりの面積率を異ならせて配置させることで真上から観察した場合に、潜像画像が視認し難くさせるためにカモフラージュ図柄を形成することができる。また、背景部５に配列される画線７が潜像部４の画線６の画線の位相をずらすことによって真上から観察した場合に、潜像画像が視認し難くさせるためにカモフラージュ図柄を形成することができる。詳細については特許第４２４７９０６号公報に記載されている。
【符号の説明】
【００７８】
１、１´  偽造防止印刷物
２、２´  基材
３、３´  印刷領域
４、４´  潜像部
５、５´  背景部
６、６ａ、６ｂ、６ｃ、６ｄ、６´  画線
７、７ａ、７ｂ、７ｃ、７ｄ、７´  画線
８、８ａ、８ｂ、８ｃ、８´  非画線
９、９ａ、９ｂ、９ｃ、９´  非画線
１０  カモフラージュ図柄
１１  カモフラージュ画線
Ｆ１、Ｆ１´  観察方向（斜め）
Ｈ１、Ｈ２、Ｈ３、Ｈ４、Ｈ５、Ｈ６、Ｈ７、Ｈ８  画線高さ
Ｋ１、Ｋ２、Ｋ３、Ｋ４、Ｋ５、Ｋ６、Ｋ７、Ｋ８、Ｋ９、Ｋ１０  カモフラージュ非画線
Ｓ１、Ｓ１  画線ユニットの長さ
Ｗ１、Ｗ２、Ｗ３、Ｗ４、Ｗ５、Ｗ６、Ｗ７、Ｗ８  画線幅
【図１】
2018187840.tif 000003
【図２】
2018187840.tif 000004
【図３】
2018187840.tif 000005
【図４】
2018187840.tif 000006
【図５】
2018187840.tif 000007
【図６】
2018187840.tif 000008
【図７】
2018187840.tif 000009
【図８】
2018187840.tif 000010
【図９】
2018187840.tif 000011
【図１０】
2018187840.tif 000012
【図１１】
2018187840.tif 000013
【図１２】
2018187840.tif 000014
【図１３】
2018187840.tif 000015
【図１４】
2018187840.tif 000016
【図１５】
2018187840.tif 000017
【図１６】
2018187840.tif 000018